(57)【要約】【課題】上下方向にルーバーを容易に且つしっかりと設置することができるルーバー用芯材、芯材付きルーバー及びルーバー設置構造を提供する。【解決手段】芯材４０をルーバー３０に通し、接着剤４２で接着する。芯材本体４１の下部に固定された支持金具７０がルーバー３０を支持する。芯材４０付きのルーバー３０の上金具５０を上フレーム１０の切欠部１７に係合させ、フック部５１を起立片１５に掛止させる。下金具６０を下フレーム２０の切欠部２７に係合させ、縦片２３に重ね合わせ、ビス６５をビス挿通孔６１を通して縦片２３にねじ込む。【選択図】図２
2010101018.tif 000002
【特許請求の範囲】
【請求項１】
縦長に設置される中空筒状のセラミック製のルーバーに挿通される芯材であって、
該ルーバーの長手方向に延在する芯材本体と、
該芯材本体の下端側に設けられた、該ルーバーの下端を支持するための、芯材本体の側面から突出する支持金具と
を備えてなるルーバー用芯材。
【請求項２】
請求項１において、前記支持金具は、前記芯材本体にリベットによって固着されており、該芯材本体の側面には、該リベットの頭以上の突出高さを有する凸部が設けられていることを特徴とするルーバー用芯材。
【請求項３】
請求項１又は２において、前記支持金具の突出方向先端側の下面は、先端側ほど上位となるように傾斜していることを特徴とするルーバー用芯材。
【請求項４】
請求項１ないし３のいずれか１項に記載のルーバー用芯材をセラミック製ルーバーに挿通して固着し、該ルーバーの下端を前記支持金具に当接させてなる芯材付きルーバー。
【請求項５】
請求項４において、ルーバーの内面が芯材本体の側面に接着されていることを特徴とする芯材付きルーバー。
【請求項６】
請求項４又は５において、前記支持金具の先端がルーバーの側面から後退していることを特徴とする芯材付きルーバー。
【請求項７】
複数本の請求項４ないし６のいずれか１項の芯材付きルーバーが上下方向に平行に配列され、
該ルーバーの上方に横長に配置された上フレームと、該ルーバーの下方に横長に配置された下フレームとに対し芯材を固定したことを特徴とするルーバー設置構造。
【発明の詳細な説明】
【技術分野】
【０００１】
本発明は、セラミック製のルーバーに装着される芯材と、この芯材を備えたルーバーと、このルーバーを設置した構造とに関する。
【背景技術】
【０００２】
セラミック製のルーバーを水平に配置した建物が特開２００２−１８０６２７に記載されている。同号公報では、ルーバー内にコ字形断面形状の型鋼が挿通されている。建物の壁面からは接続部材が前方に突設するように設けられている。ルーバーは、この接続部材同士の間に配置され、型鋼を接続部材に支持させることにより建物に取り付けられる。
【特許文献１】特開２００２−１８０６２７
【発明の開示】
【発明が解決しようとする課題】
【０００３】
上記のルーバーは水平に横引きされている。本発明は、縦長すなわち上下方向にルーバーを容易に且つしっかりと設置することができるルーバー用芯材、芯材付きルーバー及びルーバー設置構造を提供することを目的とする。
【課題を解決するための手段】
【０００４】
請求項１のルーバー用芯材は、縦長に設置される中空筒状のセラミック製のルーバーに挿通される芯材であって、該ルーバーの長手方向に延在する芯材本体と、該芯材本体の下端側に設けられた、該ルーバーの下端を支持するための、芯材本体の側面から突出する支持金具とを備えてなるものである。
【０００５】
請求項２のルーバー用芯材は、請求項１において、前記支持金具は、前記芯材本体にリベットによって固着されており、該芯材本体の側面には、該リベットの頭以上の突出高さを有する凸部が設けられていることを特徴とするものである。
【０００６】
請求項３のルーバー用芯材は、請求項１又は２において、前記支持金具の突出方向先端側の下面は、先端側ほど上位となるように傾斜していることを特徴とするものである。
【０００７】
請求項４の芯材付きルーバーは、請求項１ないし３のいずれか１項に記載のルーバー用芯材をセラミック製ルーバーに挿通して固着し、該ルーバーの下端を前記支持金具に当接させてなるものである。
【０００８】
請求項５の芯材付きルーバーは、請求項４において、ルーバーの内面が芯材本体の側面に接着されていることを特徴とするものである。
【０００９】
請求項６の芯材付きルーバーは、請求項４又は５において、前記支持金具の先端がルーバーの側面から後退していることを特徴とするものである。
【００１０】
請求項７のルーバー設置構造は、複数本の請求項４ないし６のいずれか１項の芯材付きルーバーが上下方向に平行に配列され、該ルーバーの上方に横長に配置された上フレームと、該ルーバーの下方に横長に配置された下フレームとに対し芯材を固定したことを特徴とするものである。
【発明の効果】
【００１１】
本発明のルーバー用芯材、芯材付きルーバー及びルーバー設置構造にあっては、該ルーバー用芯材の下端が支持金具に支持されているのでルーバーが芯材にしっかりと保持されており、ルーバーの設置強度、耐久性も良好となる。
【００１２】
請求項２のルーバー用芯材によれば、リベットの頭がルーバーの内面に当ることが防止される。
【００１３】
請求項３の芯材及び請求項６のルーバーによれば、支持金具の先端側が目立たないようになり、美観が向上する。
【発明を実施するための最良の形態】
【００１４】
以下、図面を参照して実施の形態について説明する。
【００１５】
第１図は実施の形態に係るルーバー用芯材、芯材付きルーバー及びルーバー設置構造を示す断面図、第２図（ａ)，（ｂ）は第１図の上部及び下部の拡大図、第３図は芯材を示す分解斜視図、第４図は第２図のIV−IV線断面図、第５図は第４図のＶ−Ｖ線断面図、第６図は上フレームの斜視図、第７図は下フレームの斜視図、第８図は上フレームと芯材付きルーバーとの係合関係を示す分解斜視図、第９図は下フレームと芯材付きルーバーとの係合関係を示す分解斜視図、第１０図は上フレームと上カバーとの係合関係を示す分解斜視図、第１１図は下フレームと下カバーとの係合関係を示す分解斜視図である。
【００１６】
第１，２図の通り、建物の天井１と床２とに上フレーム１０及び下フレーム２０が取り付けられ、この上フレーム１０と下フレーム２０との間にルーバー３０が設置されている。ルーバー３０には芯材４０が挿通されており、芯材４０の上下両端部が上フレーム１０及び下フレーム２０に取り付けられている。
【００１７】
フレーム１０，２０は、好ましくはアルミの押出成形材よりなる。
【００１８】
上フレーム１０は、第６，８図に明示の通り、水平な主片１１と、この主片１１に連なる上向き略コ字形断面形状のコ字部１２と、該コ字部１２の主片１１側から垂下する垂下片１３と、該垂下片１３から主片１１と同じ側に張り出す張出片１４と、該張出片１４から上方に立ち上がる起立片１５と、垂下片１３の下端とコ字部１２の主片１１と反対側の側面とを繋ぐ略Ｌ字形断面形状の補強片１６等を備えている。
【００１９】
この上フレーム１０は一直線状に延在するレール形であり、上記主片１１、コ字部１２、垂下片１３、張出片１４、起立片１５及び補強片１６はいずれも上フレーム１０の延在方向に延在している。起立片１５は垂下片１３の近傍に位置しており、起立片１５と垂下片１３との間には、後述のフック部５１が上方から差し込まれるスペースがあいている。
【００２０】
張出片１４には、その長手方向に所定間隔をおいて切欠部１７が設けられている。切欠部１７は、張出片１４の側端縁から起立片１５に達するように切り込まれている。
【００２１】
主片１１にはその長手方向に所定間隔をおいてアンカー穴１８が設けられている。各アンカー穴１８は切欠部１７同士の間の位置の上方に配置されている。
【００２２】
張出片１４の下面には、起立片１５と張出片の先端縁側との間に、後述の上カバー８０を係止するための溝部１９ａが設けられている。また、主片１１の端縁から突条１９ｂが下方に突設されている。
【００２３】
下フレーム２０は、第７，９図に明示の通り、水平な主片２１と、この主片２１に連なる下向き略コ字形断面形状のコ字部２２と、該コ字部２２の主片２１側から立ち上がる縦片２３と、該縦片２３から主片２１と同じ側に張り出す張出片２４と、主片２１のコ字部２２と反対側の端縁部から上方に突設された突条２５と、縦片２３の上端とコ字部２２の主片２１と反対側の側面とを繋ぐ略逆Ｌ字形断面形状の補強片２６等を備えている。
【００２４】
この下フレーム２０は一直線状に延在するレール形であり、上記主片２１、コ字部２２、縦片２３、張出片２４、突条２５及び補強片２６はいずれも下フレーム２０の延在方向に延在している。
【００２５】
張出片２４には、その長手方向に所定間隔をおいて切欠部２７が設けられている。切欠部２７は、張出片２４の側端縁から縦片２３に達するように切り込まれている。
【００２６】
主片２１には、その長手方向に所定間隔をおいてアンカー穴２８が設けられている。各アンカー穴２８は切欠部２７同士の間の位置の下方に配置されている。
【００２７】
張出片２４の上面には、後述の下カバー９０を係止するための溝部２９が設けられている。
【００２８】
上フレーム１０及び下フレーム２０は、アンカー穴１８，２８に挿通されたアンカーボルト（図示略）によって天井１、床２に固定される。各アンカー穴１８，２８を上フレーム１０及び下フレーム２０にそれぞれ２個以上設けておき、２ヶ所以上でアンカー留めすることにより、フレーム１０，２０の回転（旋回）が防止される。
【００２９】
なお、フレーム１０，２０は、建物の壁面から突設された方立てなどのブラケットを介して壁面に取り付けられてもよい。
【００３０】
ルーバー３０はセラミック（陶磁器）製であり、この実施の形態では方形筒状である。
【００３１】
芯材４０は、ルーバー３０と略同一長さの芯材本体４１と、この芯材本体４１の上端に取り付けられた上金具５０と、芯材本体４１の下端に取り付けられた下金具６０及びルーバー支持金具７０を備えている。芯材本体４１は略角柱形であり、好ましくはアルミの押出成形材よりなる。
【００３２】
芯材本体４１の隣接する２側面には、それぞれ、芯材本体４１の長手方向に延在する凸条４２，４５が１条ずつ設けられていると共に、凸条４２，４５に沿って上下方向に延在する多数の溝を形成した溝面４３，４６が設けられている。なお、この凸条４２を設けた面の下部には、リベット孔４４が設けられている。このリベット孔４４は、後述の支持金具７０をリベット留めするためのものである。
【００３３】
これらの溝面４３，４６に接着剤３２を塗着しておき、ルーバー３０の内面に芯材４０を接着固定する。このように溝面４３，４６に接着剤３２を塗着することにより接着剤３２の芯材本体４１への付着力が向上し、ルーバー３０の接着強度が向上する。
【００３４】
上金具５０は、上下に長い帯板状であり、その上端部に下向きＬ形のフック部５１が設けられている。上金具５０にはリベット孔５２が設けられており、芯材本体４１から上方に突出するように、リベット５３によって芯材本体４１の上部に連結固定される。
【００３５】
下金具６０は、上下に長い帯板状であり、リベット孔６２が上部ないし中間部に設けられ、ビス６５（第１，２図）の挿通孔６１が下部に設けられている。この下金具６０はリベット６３によって、芯材本体４１から下方に突出するように、芯材本体４１の下部に連結固定される。
【００３６】
支持金具７０は、芯材本体４１内に差し込まれる本体部７１と、該本体部７１の下端から側方に突出した突出部７２と、本体部７１に設けられたリベット孔７３とを備えた略Ｌ字形の金具である。この支持金具７０は、その本体部７１が芯材本体４１の下端から芯材本体４１内に差し込まれ、リベット７４によって芯材本体４１に連結固定される。突出部７２は芯材本体４１の下端から前方に突出し、ルーバー３０を下から支える。このようにルーバー３０を支持金具７０で下から支持することにより、接着剤３２に長期にわたって剪断荷重がかかることが防止される。また、ルーバー３０を芯材４０に接着するときに、ルーバー３０を支持金具７０に当接させることにより、ルーバー３０の位置決めを行うことができる。
【００３７】
突出部７２の突出方向の先端側は、先端側ほど上位となる傾斜面７２ａとなっている。
【００３８】
前述の通り、芯材本体４１が接着剤３２によってルーバー３０の内面に接着されると共に、支持金具７０によって下から支えられるようにして芯材４０付きのルーバー３０が製作される。リベット７４の頭７４ａの厚み（高さ）は例えば約１．１ｍｍ程度とされる。凸条４２の高さはこれよりも高い例えば約１．５ｍｍ程度とされる。そのため、リベット頭７４ａがルーバー３０の内面に当ることはない。
【００３９】
支持金具７０の突出部７２は、その先端がルーバー３０の側面（前面）よりも後退している。このため、支持金具７０が見えにくく、美観が良好である。また、支持金具突出部７２に人や衣類が当ったり引っ掛ったりすることが防止される。
【００４０】
この芯材４０付きのルーバー３０を上フレーム１０及び下フレーム２０間に配設するには、この芯材４０付きのルーバー３０の上金具５０を上フレーム１０の切欠部１７に係合させ、フック部５１を起立片１５に掛止させる。また、下金具６０を下フレーム２０の切欠部２７に係合させ、縦片２３に重ね合わせ、ビス６５をビス挿通孔６１を通して縦片２３にねじ込む。これにより、芯材４０付きルーバー３０の上下両端部が上下のフレーム１０，２０に固定される。
【００４１】
なお、アンカー穴１８，２８が切欠部１７，２７の間の位置に配置されているので、上金具５０及び下金具６０は、アンカー金具と干渉しない。
【００４２】
その後、上フレーム１０に上カバー８０を装着し、下フレーム２０に下カバー９０を装着する。
【００４３】
第１０図の通り、上カバー８０は、横片８１と、該横片８１から立ち上がる縦片８２とを有した略Ｌ字形断面形状である。横片８１の側縁に突条８３が設けられている。縦片８２の上端には上向きの溝部８４が設けられている。図示は省略するが横片８１にはビス８６の挿通孔が設けられている。
【００４４】
突条８３を上フレーム１０の溝部１９ａに係合させ、溝部８４を突条１９ｂに嵌合させると、横片８１が張出片１４に下から重なる。そこで、ビス８６をビス挿通孔を通して張出片１４にねじ込むことにより、第１，２図の通り、上カバー８０が上フレーム１０に装着される。
【００４５】
上フレーム１０の切欠部１７は、溝部１９ａを横切って起立片１５にまで達するように設けられており、上金具５０は、上カバー８０の横片８１の側端縁と起立片１５との間に挟まれた構造となる。
【００４６】
第１１図の通り、下カバー９０は、横片９１と、該横片９１から垂下する縦片９２とを有した略逆Ｌ字形断面形状である。横片９１の側縁に突条９３が設けられている。縦片９２の下端には下向きの溝部９４が設けられている。横片９１にはビス９６の挿通孔９５が設けられている。
【００４７】
突条９３を下フレーム２０の溝部２９に係合させ、溝部９４を突条２５に嵌合させると、横片９１が張出片２４に下から重なる。そこで、ビス９６をビス挿通孔９５を通して張出片２４にねじ込むことにより、第２図の通り、下カバー９０が下フレーム２０に装着される。
【００４８】
下フレーム２０の切欠部２７は、溝部２９を横切って縦片２３にまで達するように設けられており、下金具６０は、下カバー９０の横片９１の側端縁と縦片２３との間に挟まれた構造となる。
【００４９】
なお、上カバー８０と下カバー９０とは合成樹脂又はアルミニウム等の金属よりなるものである。この実施の形態では、上カバー８０と下カバー９０とは同一形状のものであり、下カバー９０は上カバー８０を上下反転させたものとなっている。
【００５０】
上記実施の形態では、上金具５０のフック部５１を起立片１５に引掛けることによって上金具５０を上フレーム１０に掛止しているが、この場合、上金具５０にガタツキが生じるおそれがある。そこで、このガタツキを防止するために、切欠部１７と上金具５０との間や、フック部５１と起立片１５との間、あるいはフック部１５と垂下片１３との間にゴム、合成樹脂等よりなるパッキン等の軟質材料を介在させてもよい。
【００５１】
また、上金具と上フレームとを結合する場合に、フック部５１と起立片１５との掛止に加え、さらに第１２図（ａ），（ｂ）のように、ビス留めを行うようにしてもよい。
【００５２】
第１２図の上金具５０Ａでは、フック部５１から上方に立上片５７が突設されている。この立上片５７を上フレーム１０の垂下片１３に重ね合わせ、ビス５８で該立上片７５と垂下片１３とを連結する。これにより、上金具５０Ａが上フレーム１０に対し強固に連結され、上金具５０Ａにガタツキが生じることがない。
【００５３】
この場合、芯材４０が熱で膨張又は収縮した場合の応力を吸収するために、下金具６０Ａのビス孔６１を上下に長い長孔とする。
【００５４】
第１２図のその他の構成は第２図と同様であり、同一符号は同一部分を示している。
【００５５】
上記実施の形態では、上フレーム１０及び下フレーム２０に切欠部１７，２７を設けることにより、ルーバー３０の位置決め及び配列ピッチ決めを行っているが、本発明では切欠部を省略し、代りにルーバー同士の間にスペーサを介在させてルーバー３０の位置決め及び配列ピッチ決めを行ってもよい。
【００５６】
上記実施の形態はいずれも本発明の一例であり、本発明は上記実施の形態に限定されるものではない。
【図面の簡単な説明】
【００５７】
【図１】実施の形態に係るルーバー用芯材、芯材付きルーバー及びルーバー設置構造を示す断面図である。
【図２】（ａ)，（ｂ）は第１図の上部及び下部の拡大図である。
【図３】芯材を示す分解斜視図である。
【図４】図２のIV−IV線断面図である。
【図５】図４のＶ−Ｖ線断面図である。
【図６】上フレームの斜視図である。
【図７】下フレームの斜視図である。
【図８】上フレームと芯材付きルーバーとの係合関係を示す分解斜視図である。
【図９】下フレームと芯材付きルーバーとの係合関係を示す分解斜視図である。
【図１０】上フレームと上カバーとの係合関係を示す分解斜視図である。
【図１１】下フレームと下カバーとの係合関係を示す分解斜視図である。
【図１２】別の実施の形態に係るルーバー用芯材、芯材付きルーバー及びルーバー設置構造を示す断面図である。
【符号の説明】
【００５８】
１０  上フレーム
１７，２７  切欠部
２０  下フレーム
３０  ルーバー
３２  接着剤
４０  芯材
４１  芯材本体
４２，４５  凸条
４３，４６  溝面
４４  リベット孔
５０  上金具
５１  フック部
６０  下金具
７０  支持金具
７１  本体部
７２  突出部
８０  上カバー
９０  下カバー
【図１】
2010101018.tif 000003
【図２】
2010101018.tif 000004
【図３】
2010101018.tif 000005
【図４】
2010101018.tif 000006
【図５】
2010101018.tif 000007
【図６】
2010101018.tif 000008
【図７】
2010101018.tif 000009
【図８】
2010101018.tif 000010
【図９】
2010101018.tif 000011
【図１０】
2010101018.tif 000012
【図１１】
2010101018.tif 000013
【図１２】
2010101018.tif 000014